【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
それを中心としてローター(３,３０,４０)が回転可能な主中心回転軸線(４)を有する前記ローター(３,３０,４０)を具備してなるタービンであって、前記ローター(３,３０,４０)は、第１の端部(１０)および第２の端部(１１)間で延在すると共にエーロフォイルあるいはハイドロフォイル断面の一方の実質的にその全長に沿った横断面を有するスパイラル形態の少なくとも一つの長尺なリボン型ブレード(７)を具備してなり、前記少なくとも一つのブレード(７)の前記第１の端部(１０)は前記主中心回転軸線(４)に隣接する第１の位置(１４)に隣接して配置され、かつ、前記少なくとも一つのブレード(７)の前記第２の端部(１１)は前記主中心回転軸線(４)に隣接する第２の位置(１５)に隣接して配置され、前記第２の位置(１５)は前記第１の位置(１４)から前記主中心回転軸線に沿って離間しており、前記少なくとも一つのブレード(７)は第１のスパイラル(１２)および第２のスパイラル(１３)を有し、前記第１のスパイラル(１２)は第１の中心スパイラル軸線を有し、かつ、前記第２のスパイラル(１３)は第２の中心スパイラル軸線を有し、前記ブレード(７)の前記第１および第２の端部(１０,１１)間の前記第１のスパイラル(１２)が前記主中心回転軸線(４)と実質的に一致する前記第１および第２の中心スパイラル軸線と出会うように、前記第１のスパイラル(１２)は前記ブレード(７)の前記第１の端部(１０)から延在すると共に前記第２のスパイラル(１３)は前記ブレード(７)の前記第２の端部(１１)から延在し、かつ、前記少なくとも一つのブレード(７)の前記第１および第２のスパイラル(１２,１３)は、前記ブレード(７)の前記それぞれの第１および第２の端部(１０,１１)から軸線に沿って反対方向に見たとき正反対のものであることを特徴とするタービン。
【請求項２】
前記少なくとも一つのブレード(７)の前記第１のスパイラル(１２)は最大スパイラル直径まで延在しており、かつ、前記第２のスパイラル(１３)の最大直径は前記第１のスパイラル(１２)の前記最大直径と近似していることを特徴とする請求項１に記載のタービン。
【請求項３】
前記少なくとも一つのブレード(７)の前記第１および第２のスパイラル(１２,１３)は、実質的にその前記第１および第２の端部(１０,１１)の中間で前記ブレード(７)に沿って出会うことを特徴とする請求項１または請求項２に記載のタービン。
【請求項４】
前記少なくとも一つのブレード(７)の前記第１のスパイラル(１２)は、１２０°までの角度範囲にわたって前記主中心回転軸線(４)を中心として延在しており、かつ、前記少なくとも一つのブレード(７)の前記第２のスパイラル(１３)は、１２０°までの角度範囲にわたって前記主中心回転軸線(４)を中心として延在していることを特徴とする請求項１ないし請求項３のいずれか１項に記載のタービン。
【請求項５】
前記少なくとも一つのブレード(７)は、実質的にその全長に沿って、実質的に一定の横断面を有することを特徴とする請求項１ないし請求項４のいずれか１項に記載のタービン。
【請求項６】
前記ローター(３,３０,４０)は、少なくとも二つの長尺なリボン型ブレード(７)を具備してなり、各ブレード(７)の前記第１の端部(１０)は、前記主中心回転軸線(４)に隣接する前記第１の位置(１４)に隣接して配置されており、かつ、各ブレード(７)の前記第２の端部(１１)は、前記主中心回転軸線(４)に隣接する前記第２の位置(１５)に隣接して配置されていることを特徴とする請求項１ないし請求項５のいずれか１項に記載のタービン。
【請求項７】
前記ブレード(７)は互いに類似したものであり、かつ、前記主中心回転軸線(４)を中心として周方向に等間隔で配置されていることを特徴とする請求項６に記載のタービン。
【請求項８】
前記ローター(３,３０,４０)は長尺なメインシャフト(５)を具備してなり、かつ、各ブレード(７)の前記第１のスパイラル(１２)は、前記メインシャフト(５)に隣接する前記第１の位置(１４)から延在しており、かつ、各ブレード(７)の前記第２のスパイラル(１３)は、前記メインシャフト(５)に隣接する前記第２の位置(１５)から延在しており、各ブレード(７)は、前記ブレード(７)のダイブ角の選択的変更を容易にするために、対応する二次軸線(１８)を中心として前記主中心回転軸線(４)に対して、前記第１および第２の位置(１４,１５)に隣接して回動可能に連結されており、各ブレード(７)の前記二次軸線(１８)は前記主中心回転軸線(４)と実質的に平行に延在していることを特徴とする請求項１ないし請求項７のいずれか１項に記載のタービン。
【請求項９】
タービン用のローターであって、前記ローター(３,３０,４０)は、それを中心として前記ローター(３,３０,４０)が回転可能な主中心回転軸線(４)を有しており、前記ローター(３,３０,４０)は、第１の端部(１０)および第２の端部(１１)間で延在すると共にエーロフォイルあるいはハイドロフォイル断面の一方の実質的にその全長に沿った横断面を有するスパイラル形態の少なくとも一つの長尺なリボン型ブレード(７)を具備してなり、前記少なくとも一つのブレード(７)の前記第１の端部(１０)は前記主中心回転軸線(４)に隣接する第１の位置(１４)に隣接して配置され、かつ、前記少なくとも一つのブレード(７)の前記第２の端部(１１)は前記主中心回転軸線(４)に隣接する第２の位置(１５)に隣接して配置され、前記第２の位置(１５)は前記第１の位置(１４)から前記主中心軸線に沿って離間しており、前記少なくとも一つのブレード(７)は第１のスパイラル(１２)および第２のスパイラル(１３)を有し、前記第１のスパイラル(１２)は第１の中心スパイラル軸線を有し、かつ、前記第２のスパイラル(１３)は第２の中心スパイラル軸線を有し、前記ブレード(７)の前記第１および第２の端部(１０,１１)間の前記第１のスパイラル(１２)が、前記主中心回転軸線(４)と実質的に一致する前記第１および第２の中心スパイラル軸線と出会うように、前記第１のスパイラル(１２)は前記ブレード(７)の前記第１の端部(１０)から延在すると共に前記第２のスパイラル(１３)は前記ブレード(７)の前記第２の端部(１１)から延在し、かつ、前記少なくとも一つのブレード(７)の前記第１および第２のスパイラル(１２,１３)は、前記ブレード(７)の前記それぞれの第１および第２の端部(１０,１１)から軸線に沿って反対方向に見たとき正反対のものであることを特徴とするタービン用のローター。
【請求項１０】
前記少なくとも一つのブレード(７)の前記第１のスパイラル(１２)は最大スパイラル直径まで延在しており、かつ、前記第２のスパイラル(１３)の最大直径は前記第１のスパイラル(１２)の前記最大直径と近似していることを特徴とする請求項９に記載のローター。
【請求項１１】
前記少なくとも一つのブレード(７)の前記第１および第２のスパイラル(１２,１３)は、実質的にその前記第１および第２の端部(１０,１１)の中間で前記ブレード(７)に沿って出会うことを特徴とする請求項９または請求項１０に記載のローター。
【請求項１２】
前記少なくとも一つのブレード(７)の前記第１のスパイラル(１２)は、１２０°までの角度範囲にわたって前記主中心回転軸線(４)を中心として延在しており、かつ、前記少なくとも一つのブレード(７)の前記第２のスパイラル(１３)は、１２０°までの角度範囲にわたって前記主中心回転軸線(４)を中心として延在していることを特徴とする請求項９ないし請求項１１のいずれか１項に記載のローター。
【請求項１３】
前記少なくとも一つのブレード(７)は、実質的にその全長に沿って、実質的に一定の横断面を有することを特徴とする請求項９ないし請求項１２のいずれか１項に記載のローター。
【請求項１４】
前記ローター(３,３０,４０)は、少なくとも二つの長尺なリボン型ブレード(７)を具備してなり、各ブレード(７)の前記第１の端部(１０)は、前記主中心回転軸線(４)に隣接する前記第１の位置(１４)に隣接して配置されており、かつ、各ブレード(７)の前記第２の端部(１１)は、前記主中心回転軸線(４)に隣接する前記第２の位置(１５)に隣接して配置されていることを特徴とする請求項９ないし請求項１３のいずれか１項に記載のローター。
【請求項１５】
前記ブレード(７)は互いに類似したものであり、かつ、前記主中心回転軸線(４)を中心として周方向に等間隔で配置されていることを特徴とする請求項１４に記載のローター。